(57)【要約】【課題】ディジタルＴＶのチャネル切替時における切り替え処理の進行状況を刻々と利用者に伝達することができるパペット仲介型チャネル切替状態表示装置を提供する。【解決手段】リモコン１の状態およびディジタルＴＶ４の状態に応じて身体動作および発話動作を行うパペット２と、リモコン１からのＴＶ制御情報の受信と、ディジタルＴＶ４との間での情報の授受を行い、前記リモコン１から発信されるＴＶ制御情報を前記ディジタルＴＶ４に中継し、前記ＴＶ制御情報と、前記ディジタルＴＶ４から取得したＴＶ状態を示す情報とに応じて、前記パペット２の身体動作および発話動作を発生させるパペットコントロールサーバ３と、を備える。【選択図】図１
2010199821.tif 000002
【特許請求の範囲】
【請求項１】
ＴＶリモコンの状態およびディジタルＴＶの状態に応じて身体動作および発話動作を行うパペットと、
ＴＶリモコンからのＴＶ制御情報の受信と、ディジタルＴＶとの間での情報の授受を行い、前記ＴＶリモコンから発信されるＴＶ制御情報を前記ディジタルＴＶに中継し、前記ＴＶ制御情報と、前記ディジタルＴＶから取得したＴＶ状態を示す情報とに応じて、前記パペットの身体動作および発話動作を発生させるパペットコントロールサーバと、
を備えたことを特徴とするパペット仲介型チャネル切替状態表示装置。
【請求項２】
前記パペットコントロールサーバは、
前記パペットの身体動作および発話動作を制御するパペット制御手段と、
ＴＶリモコンから発信されるＴＶ制御情報とディジタルＴＶへの要求コードを関連付ける情報が蓄積されたＴＶ制御情報記憶手段と、
ディジタルＴＶ内での処理状態を示すコードと前記パペットの動作情報を関連付ける情報が蓄積されたＴＶ状態管理情報記憶手段と、
ＴＶリモコンから発信されるＴＶ制御情報、および前記ディジタルＴＶ内での処理状態に基づくパペットの動作情報と、前記パペット動作を制御するためのコードを関連付ける情報が蓄積されたパペット動作記憶手段と、
ＴＶリモコンとの間の通信制御およびディジタルＴＶとの間の通信制御を行う通信制御手段と、
前記各手段の動作を各々制御して、ＴＶリモコンから発信されるＴＶ制御情報をディジタルＴＶに中継し、該ＴＶ制御情報と、ディジタルＴＶから取得したＴＶ状態を示す情報とに応じて、前記パペットの身体動作および発話動作の制御信号を前記パペット制御手段に送出する動作制御手段と、
を備えたことを特徴とする請求項１に記載のパペット仲介型チャネル切替状態表示装置。
【請求項３】
前記パペット動作記憶手段に蓄積されたパペット動作を制御するためのコードは、駆動コードおよび再生音声コードを含み、
前記パペット制御手段は、前記駆動コードに基づいてパペットの身体動作を制御するパペット駆動制御手段と、前記再生音声コードに基づいてパペットの発話動作を制御する音声再生制御手段とを備えている、
ことを特徴とする請求項２に記載のパペット仲介型チャネル切替状態表示装置。
【請求項４】
ＴＶリモコンの状態およびディジタルＴＶの状態に応じて身体動作および発話動作を行うパペットと、ＴＶリモコンからのＴＶ制御情報の受信と、ディジタルＴＶとの間での情報の授受を行うパペットコントロールサーバとを備えた装置におけるパペット仲介型チャネル切替状態表示方法であって、
前記パペットコントロールサーバが、ＴＶリモコンからのＴＶ制御情報を受信してディジタルＴＶへ中継するステップと、
前記パペットコントロールサーバが、前記ＴＶ制御情報に対応してパペットの身体動作および発話動作を発生させるステップと、
前記パペットコントロールサーバが、前記ディジタルＴＶからＴＶの状態を示す情報を取得し、該情報に対応してパペットの身体動作および発話動作を発生させるステップと、
を備えたことを特徴とするパペット仲介型チャネル切替状態表示方法。
【請求項５】
前記パペットコントロールサーバは、前記パペットの身体動作および発話動作を制御するパペット制御手段と、ＴＶリモコンから発信されるＴＶ制御情報とディジタルＴＶへの要求コードを関連付ける情報が蓄積されたＴＶ制御情報記憶手段と、ディジタルＴＶ内での処理状態を示すコードと前記パペットの動作情報を関連付ける情報が蓄積されたＴＶ状態管理情報記憶手段と、ＴＶリモコンから発信されるＴＶ制御情報、および前記ディジタルＴＶ内での処理状態に基づくパペットの動作情報と、前記パペット動作を制御するためのコードを関連付ける情報が蓄積されたパペット動作記憶手段と、ＴＶリモコンとの間の通信制御およびディジタルＴＶとの間の通信制御を行う通信制御手段と、前記各手段の動作を各々制御する動作制御手段とを備え、
前記動作制御手段が、通信制御手段を介してＴＶリモコンから発信されたＴＶ制御情報を、前記ＴＶ制御情報記憶手段に蓄積された情報を参照してディジタルＴＶへの要求コードに変換するステップと、
前記通信制御手段が、前記変換された要求コードをディジタルＴＶへ送信するステップと、
前記動作制御手段が、前記パペット動作記憶手段を参照して、前記ＴＶリモコンから発信されたＴＶ制御情報に対応する、パペット動作を制御するためのコードを検索するステップと、
前記パペット制御手段が、前記検索されたパペット動作を制御するためのコードに基づいて前記パペットの身体動作および発話動作を発生させる第１のパペット制御ステップと、
前記動作制御手段が、前記ＴＶ状態管理情報記憶手段を参照して、通信制御手段を介してディジタルＴＶから発信されたＴＶ内での処理状態に対応する、パペットの動作情報を検索するステップと、
前記動作制御手段が、前記パペット動作記憶手段を参照して、前記ディジタルＴＶ内での処理状態に基づくパペットの動作情報に対応する、パペット動作を制御するためのコードを検索するステップと、
前記パペット制御手段が、前記検索されパペット動作を制御するためのコードに基づいて前記パペットの身体動作および発話動作を発生させる第２のパペット制御ステップと、
を備えたことを特徴とする請求項４に記載のパペット仲介型チャネル切替状態表示方法。
【請求項６】
コンピュータに請求項４又は５に記載の各手順を実行させるパペット仲介型チャネル切替状態表示プログラム。
【発明の詳細な説明】
【技術分野】
【０００１】
本発明は、ディジタルＴＶのチャネル切替時における切り替え処理の進行状況を、パペットを介して利用者に伝達するパペット仲介型チャネル切替状態表示装置、方法、プログラムに関する。
【背景技術】
【０００２】
２０１１年より、従来提供されてきたアナログＴＶ放送が廃止され、全面的にディジタル放送に移行する。この動きに合わせて、ディジタル放送受信機及び広帯域ネットワーク接続が可能なＩＰ−ＴＶなどのサービスが本格化しており、アナログＴＶ時代よりもチャネル数が大幅に増大し、受信映像の品質も飛躍的に向上している。このため、利用者にとって放送チャネルの選択肢が増え、アナログＴＶの利用時よりも頻繁にチャネル切り替え操作を行なうといった状況が発生する。
【０００３】
このチャネル切り替え操作について言えば、従来のアナログＴＶ放送の受信においては、例えば、リモコン操作によって受信チャネルの変更を行なっていたが、この操作は、利用者にとってほぼ実時間処理と感じる程度に短時間で実行可能であったため、特にチャネル切り替え操作に対する応答期間内にイライラ感を感じる等の心理的負担は無かった。
【０００４】
尚従来、画面遷移における遅延の許容範囲と遷移方法については、例えば非特許文献１に開示されている。
【先行技術文献】
【非特許文献】
【０００５】
【非特許文献１】中根愛、田中清、米村俊一、東野豪、浅野陽子、「画面遷移における遅延の許容範囲と遷移方法」、信学技報  ＩＥＩＣＥ  Ｔｅｃｈｎｉｃａｌ  Ｒｅｐｏｒｔ  ＣＱ２００８−７１（２００９−０１）、ｐｐ６３〜ｐｐ６８．
【発明の概要】
【発明が解決しようとする課題】
【０００６】
しかしながら、ディジタル映像の受信においては、チャネル切り替え時にはディジタル信号のレンダリング処理、暗号化映像の復号化処理など、多くの信号処理を行う必要がある。現在の技術では、これらの処理に多くの時間を必要とするため、例えば、リモコンのチャンネル切り替えボタンを押下してからＴＶ画面上に新たな映像を表示するまでの応答時間がアナログＴＶよりも大幅に増加する。
【０００７】
この応答期間内における従来型ディジタルＴＶの応答では、応答期間中の全域に渡って黒画面を表示したり、あるいは被選択チャネルに関わるテキスト情報を画面の一部に表示するなどの処理を実施している。しかし、従来の応答処理では画面表示内容が時間的に変化しないため、チャネル切り替え操作が進行しているのかどうか、利用者にとって判断しにくいという課題があった。また、このことが原因で利用者がイライラ感を感じてしまい、心理的に大きな負担を強いられるという課題があった。
【０００８】
さらに、前記応答時間が長引いた場合、利用者が自分のチャネル切り替え操作が不備であったかのように思い込み、チャネル切り替えボタンの複数回押下等を繰り返すため、かえって、応答時間が長引いたり、あるいは操作エラーが発生するという課題があった。
【０００９】
本発明は上記課題を解決するものであり、その目的は、ディジタルＴＶのチャネル切替時における切り替え処理の進行状況を刻々と利用者に伝達することができるパペット仲介型チャネル切替状態表示装置、方法、プログラムを提供することにある。
【課題を解決するための手段】
【００１０】
上記の課題を解決するため、本発明では、動作制御手段、通信制御手段、パペット動作記憶手段、ＴＶ状態管理情報記憶手段、ＴＶ制御情報記憶手段、パペット駆動制御手段、パペット、音声再生制御手段、スピーカを具備し、ＴＶリモコンから発せられたＴＶ制御情報をディジタルＴＶに中継すると同時に、前記ＴＶ制御情報に基づいて、パペットが情報受け取りの動作（身体動作及び発話）を利用者に提示し、次に、パペットがディジタルＴＶから取得したＴＶ状態管理情報に基づいて、パペットがＴＶの状態表出動作（身体動作及び発話）を利用者に提示するように構成した。
【００１１】
すなわち、請求項１に記載のパペット仲介型チャネル切替状態表示装置は、ＴＶリモコンの状態およびディジタルＴＶの状態に応じて身体動作および発話動作を行うパペットと、ＴＶリモコンからのＴＶ制御情報の受信と、ディジタルＴＶとの間での情報の授受を行い、前記ＴＶリモコンから発信されるＴＶ制御情報を前記ディジタルＴＶに中継し、前記ＴＶ制御情報と、前記ディジタルＴＶから取得したＴＶ状態を示す情報とに応じて、前記パペットの身体動作および発話動作を発生させるパペットコントロールサーバと、を備えたことを特徴としている。
【発明の効果】
【００１２】
本発明によれば、本発明の利用者は、ディジタルＴＶのチャネル切り替え時に、パペットがチャネル切替処理の進行状況を刻々と利用者に伝達できるため、チャネル切替時の利用者のイライラ感が低減されて心理負担が軽減されるとともに、システム状態に関するフィードバック情報の不足に起因する不要な操作が減り、また、操作誤りも軽減でき、非常に便利になるという効果がある。
【図面の簡単な説明】
【００１３】
【図１】本発明のパペット仲介型チャネル切替状態表示装置の実施形態例を示す全体構成図。
【図２】本発明のパペット仲介型チャネル切替状態表示装置の実施形態例の要部構成を示すブロック図。
【図３】本発明の実施形態例におけるＴＶ制御情報記憶手段に蓄積されるデータの様式を示す説明図。
【図４】本発明の実施形態例におけるＴＶ状態管理情報記憶手段に蓄積されるデータの様式を示す説明図。
【図５】本発明の実施形態例におけるパペット動作記憶手段に蓄積されるデータの様式を示す説明図。
【図６】本発明のパペット仲介型チャネル切替状態表示方法の実施形態例を示すフローチャート。
【発明を実施するための形態】
【００１４】
以下、図面を参照しながら本発明の実施の形態を説明するが、本発明は下記の実施形態例に限定されるものではない。尚、本実施形態例におけるチャネル切り替えは、チャネル番号の切り替え操作のみならず、後述のメニューボタン、データボタン等、ＴＶリモコン全般の操作を含むものである。図１は本発明のパペット仲介型チャネル切替状態表示装置の実施形態例の概要を示している。
【００１５】
図１において、１は利用者が操作するリモコン（ＴＶリモコン）、２は身体動作および発話動作を行うパペット（人形）、３は、リモコン１からのＴＶ制御情報の受信と、ディジタルＴＶ４との間での情報の授受を行い、パペット２の動作を制御するパペットコントロールサーバである。
【００１６】
図１の装置の動作の概要を説明すると、まず利用者によって操作されたリモコン１より、ＴＶ制御情報が発信され、その情報はパペットコントロールサーバ３によって受信される。このＴＶ制御情報は、パペットコントロールサーバ３によってディジタルＴＶ４に転送されると共に、パペット動作のトリガとして機能する。これによってパペット２は、ＴＶ制御情報に適合する動作（身体的動きと発話）を発生することで、利用者に情報の受信を知らせる。
【００１７】
この動作に続いてパペットコントロールサーバ３は、ディジタルＴＶ４からＴＶ内での処理状態を示す情報を取得し、該情報に対応してパペット２の動作を制御する。これによってパペット２は現在のディジタルＴＶ４内での処理状況に合わせて動作（身体的動きと発話）を発生し、利用者にＴＶの現在の内部状況を伝達する。
【００１８】
図２は、パペットコントロールサーバ３の構成例を示している。図２において、１０は、動作制御手段としての動作制御部である。２０は、動作制御部１０に接続され、図示省略のリモコン１との間の通信制御および図示省略のディジタルＴＶ４との間の通信制御を行う通信制御手段としての通信制御部である。
【００１９】
３０は、動作制御部１０に接続され、リモコン１から発信される制御情報（リモコン入力情報）とディジタルＴＶ４への要求コードを関連付ける情報が例えば図３に示す様式で蓄積された、ＴＶ制御情報記憶手段としてのＴＶ制御情報記憶部である。
【００２０】
図３の蓄積データ３００は、“チャネル番号ボタン”、“メニューボタン”、“データボタン”などのリモコン入力情報と、それらに対応する、“ch-input/チャネル番号入力”、“activate-menu”、“activate-data”などのＴＶへの要求コードとで構成されている。
【００２１】
４０は、動作制御部１０に接続され、ディジタルＴＶ内４での処理状態を示すコードと前記パペット２の動作情報（パペットへの返信コード）を関連付ける情報が例えば図４に示す様式で蓄積された、ＴＶ状態管理情報記憶手段としてのＴＶ状態管理情報記憶部である。
【００２２】
図４の蓄積データ４００は、“ch-input/Progression”、“menu-acquisition/Progression”、“data-acquisition/Progression”などのＴＶ状態コードと、それらに対応する“チャネル切替中”、“メニュー取得中”、“データ取得中”などのパペットへの返信コードとで構成されている。
【００２３】
５０は、動作制御部１０に接続され、リモコン１から発信される制御情報、および前記ディジタルＴＶ４内での処理状態に基づくパペットの動作情報と、前記パペット動作を制御するためのコードを関連付ける情報が、例えば図５に示す様式で蓄積された、パペット動作記憶手段としてのパペット動作記憶部である。
【００２４】
図５の蓄積データ５００の、情報源がリモコンの入力情報は、“チャネル番号ボタン”、“メニューボタン”、“データボタン”などで構成され、それらに対応するパペット動作を制御するための再生音声コードは、File＃R01“チャネルだね”、File＃R02 “メニューだね”、 File＃R03 “データだね”などで構成され、駆動コードは“Left45degree”、“UP/DＯＷＮ”、“Right45degree”などで構成されている。
【００２５】
また図５の蓄積データ５００の、情報源がＴＶの入力情報は、ディジタルＴＶ４からの状態情報である図４のＴＶ状態コードに対応したパペットへの返信コードで表される“チャネル切替中”、“メニュー取得中”、“データ取得中”などで構成され、それらに対応するパペット動作を制御するための再生音声コードは、File＃T01“チャネル切替中だよ”、File＃T02 “メニュー見せるね”、 File＃T03 “データ取ってるよ”などで構成され、駆動コードは“Left45degree”、“UP/DＯＷＮ”、“Right45degree”などで構成されている。
【００２６】
６０は、動作制御部１０に接続され、パペット動作記憶部５０に蓄積された図５のデータ５００の駆動コードに基づいて、パペット７０（図１のパペット２）の身体動作（上、下動作、左、右への動作など）を制御するパペット駆動制御手段としてのパペット駆動制御部である。
【００２７】
８０は、動作制御部１０に接続され、パペット動作記憶部５０に蓄積された図５のデータ５００の再生音声コードに基づいて、パペット７０（図１のパペット２）の発話動作を制御する音声再生制御手段としての音声再生制御部である。
【００２８】
９０は音声再生制御部８０に接続されたスピーカである。  
【００２９】
次に、上記のように構成された装置の動作を図６のフローチャートとともに説明する。
【００３０】
任意の時刻にリモコン１の、例えば“メニューボタン”が押下された（ステップＳ１）場合、該リモコン入力情報である“メニューボタン”情報は、パペットコントロールサーバ３の通信制御部２０を介して動作制御部１０に伝達される。
【００３１】
次にステップＳ２において、動作制御部１０は、ＴＶ制御情報記憶部３０内の図３のデータ３００を参照して、リモコン入力情報“メニューボタン”を、それに対応するＴＶへの要求コード“activate-menu”に変換する。
【００３２】
次にステップＳ３において、前記変換された要求コード“activate-menu”は、通信制御部２０によってディジタルＴＶ４に転送され、ディジタルＴＶ内で対応する処理が実行される。これと同時に、“メニューボタン”情報は動作制御部１０に一時蓄積される。
【００３３】
前記“メニューボタン”情報は、動作制御部１０からパペット動作記憶部５０に転送され、図５のデータ５００の様式に基づいて対応するパペット駆動コード“UP/DＯＷＮ”及び再生音声コードFile＃R02 “メニューだね”が検索され、動作制御部１０に一時蓄積される（ステップＳ４）。
【００３４】
前記パペット駆動コード“UP/DＯＷＮ”及び再生音声コードFile＃R02 “メニューだね”は、それぞれパペット駆動制御部６０及び音声再生制御部８０に転送され（ステップＳ５）、それぞれパペットの駆動信号及びアナログ音声信号に変換されてパペット７０の身体動作を発生するとともに、スピーカ９０を介して“メニューだね”という発話内容が再生される。
【００３５】
一方、ディジタルＴＶ４内での処理が進行するのに合わせて、ディジタルＴＶ４より例えば“メニュー取得中”情報に対応するＴＶ状態管理情報のＴＶ状態コード（図４の“menu-acquisition/Progression”）が、通信制御部２０を介して受信される(ステップＳ６）と、該ＴＶ状態コードは動作制御部１０に一時蓄積される。
【００３６】
次にステップＳ７において、動作制御部１０は、ＴＶ状態管理情報記憶部４０内の蓄積データ４００を参照し、前記一時蓄積されたＴＶ状態コード（図４の“menu-acquisition/Progression”）に対応する、パペットへの返信コードである“メニュー取得中”情報をパペット動作記憶部５０に転送する。
【００３７】
次にステップＳ４において、動作制御部１０は、図５のデータ５００のデータ様式に基づいて、入力情報“メニュー取得中”に対応するパペット駆動コード“UP/DＯＷＮ”及び再生音声コードFile＃T02 “メニュー見せるね”を検索し、一時蓄積する。
【００３８】
次にステップＳ５において、前記パペット駆動コード“UP/DＯＷＮ”及び再生音声コードFile＃T02 “メニュー見せるね”は、動作制御部１０によってそれぞれパペット駆動制御部６０及び音声再生制御部８０に転送され、それぞれパペットの駆動信号及びアナログ音声信号に変換されてパペット７０の身体動作を発生するとともに、スピーカ９０を介して“メニュー見せるね”という発話内容が再生される。
【００３９】
以上の動作によって、本発明の利用者は、ディジタルＴＶ４のチャネル切り替え時に、パペット２（７０）がチャネル切替処理の進行状況を刻々と利用者に伝達できるため、チャネル切替時の利用者のイライラ感が低減されて心理負担が軽減されるとともに、システム状態に関するフィードバック情報の不足に起因する不要な操作が減り、また、操作誤りも軽減できる。
【００４０】
また、本実施形態のパペット仲介型チャネル切替状態表示装置における各手段の一部もしくは全部の機能をコンピュータのプログラムで構成し、そのプログラムをコンピュータを用いて実行して本発明を実現することができること、本実施形態のパペット仲介型チャネル切替状態表示方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【００４１】
１…リモコン
２，７０…パペット
３…パペットコントロールサーバ
４…ディジタルＴＶ
１０…動作制御部
２０…通信制御部
３０…ＴＶ制御情報記憶部
４０…ＴＶ状態管理情報記憶部
５０…パペット動作記憶部
６０…パペット駆動制御部
８０…音声再生制御部
９０…スピーカ
【図１】
2010199821.tif 000003
【図２】
2010199821.tif 000004
【図３】
2010199821.tif 000005
【図４】
2010199821.tif 000006
【図５】
2010199821.tif 000007
【図６】
2010199821.tif 000008